(57)【要約】      （修正有）【課題】高地でも騒音の増大がなく、従来対応できなかった２３００ｍ以上の高地であっても使用可能な投射型表示装置を提供する。【解決手段】超高圧水銀ランプ２１への供給電力値を変更するランプ出力制御部１３と、投射型表示装置１を設置した周囲の大気圧を検出する大気圧センサ６１と、大気圧に対応して設定した光源への供給電力情報を記憶する相関テーブル格納部５３を電気回路部４０に有し、予め記憶した大気圧に対応して設定した超高圧水銀ランプ２１への供給電力情報をもとに、大気圧センサ６１で検出した大気圧に応じて、ランプ出力制御部１３が超高圧水銀ランプ２１への供給電力を制御することにより、大気圧の低い高地ではランプ電力を低減して点灯させ、高地においてはファン速度増加によって生ずる騒音増大を回避して動作させる。【選択図】図１
2011150364.tif 000002
【特許請求の範囲】
【請求項１】
投射用光源への供給電力値の変更を行う光源電力変更手段と、
外部条件と該外部条件に対応して設定された前記光源への供給電力値との相関関係を記
憶する外部条件／光源供給電力相関テーブルを記憶する記憶部と、
周囲の外部条件を取得する外部条件情報取得手段と、
前記外部条件／光源供給電力相関テーブルから、前記外部条件情報取得手段で取得した
外部条件に対応する光源への供給電力値を取得し、取得した供給電力値となるように前記
光源電力変更手段を制御する光源電力制御手段と、を備えたことを特徴とする投射型表示
装置。
【請求項２】
請求項１に記載の投射型表示装置において、
冷却装置への供給電力値の変更を行う冷却装置電力変更手段と、
外部条件と該外部条件に対応して設定された前記冷却装置への供給電力値との相関関係
を記憶する外部条件／冷却装置供給電力相関テーブルを記憶する記憶部と、
前記外部条件／冷却装置供給電力相関テーブルから、前記外部条件情報取得手段で取得
した外部条件情報に対応する冷却装置への供給電力値を取得し、取得した供給電力値とな
るように前記冷却装置電力変更手段を制御する冷却装置電力制御手段と、を備えた投射型
表示装置。
【請求項３】
請求項１または請求項２に記載の投射型表示装置において、
前記外部条件は、周囲の大気圧である、投射型表示装置。
【請求項４】
請求項１から請求項３のいずれか１項に記載の投射型表示装置において、
前記外部条件情報取得手段は、前記投射型表示装置に設けられて周囲の大気圧を検出す
る大気圧検出部である、投射型表示装置。
【請求項５】
請求項１から請求項３のいずれか１項に記載の投射型表示装置において、
前記外部条件情報取得手段は、使用者により大気圧情報が入力される大気圧情報入力部
である、投射型表示装置。
【請求項６】
請求項１から請求項３のいずれか１項に記載の投射型表示装置において、
前記外部条件情報取得手段は、
前記投射型表示装置の使用場所の地理的条件とその地理的条件に対応して設定された大
気圧との相関関係を記憶する地理的条件／大気圧相関テーブルを記憶する記憶部と、
使用者により地理的条件が入力される地理的条件入力部と、
前記地理的条件／大気圧相関テーブルから、前記地理的条件入力部に入力された前記地
理的条件に対応する大気圧情報を読み出す大気圧情報読み出し部とから構成される、投射
型表示装置。
【請求項７】
請求項６に記載の投射型表示装置において、
前記地理的条件は標高である、投射型表示装置。
【請求項８】
請求項６に記載の投射型表示装置において、
前記地理的条件は地名、緯度経度などの標高に関係する位置情報である、投射型表示装
置。
【請求項９】
請求項１または請求項２に記載の投射型表示装置において、
前記外部条件は、周囲の環境温度である、投射型表示装置。
【請求項１０】
請求項９に記載の投射型表示装置において、
前記外部条件情報取得手段は、前記投射型表示装置に設けられて周囲の環境温度を検出
する環境温度検出部である、投射型表示装置。
【請求項１１】
請求項９に記載の投射型表示装置において、
前記外部条件情報取得手段は、使用者により周囲の環境温度が入力される環境温度情報
入力部である、投射型表示装置。
【請求項１２】
請求項１から請求項１１のいずれか１項に記載の投射型表示装置において、
前記外部条件／光源供給電力相関テーブルと前記外部条件／冷却装置供給電力相関テー
ブルとにおける外部条件が、周囲の大気圧と周囲の環境温度との組み合わせにより構成さ
れている、投射型表示装置。
【請求項１３】
請求項１から請求項１２のいずれか１項に記載の投射型表示装置において、
前記外部条件／光源供給電力相関テーブルと前記外部条件／冷却装置供給電力相関テー
ブルはそれぞれ複数設けられており、使用者により選択された使用モードに対応して選択
される、投射型表示装置。
【請求項１４】
請求項１３に記載の投射型表示装置において、
使用モードは、通常モード、静音高地モード、最適高地モードから構成され、
前記通常モードでは、前記投射用光源への供給電力値は一定値であり、前記冷却装置へ
の供給電力値は周囲の環境温度のみに対応して第１の比率で変更され、
前記静音高地モードでは、前記投射用光源への供給電力値のみが大気圧に対応して第２
の比率で変更され、前記冷却装置への供給電力値は周囲の環境温度のみに対応して第３の
比率で変更され、
前記最適高地モードでは、前記投射用光源への供給電力値は大気圧に対応して前記第２
の比率よりも低い第４の比率で変更され、前記冷却装置への供給電力値は大気圧に対応し
て第５の比率で変更されるとともに周囲の環境温度に対応して前記第３の比率よりも高い
第６の比率で変更される、投射型表示装置。
【請求項１５】
請求項２から請求項１１のいずれか１項に記載の投射型表示装置において、
前記冷却手段は軸流ファンやシロッコファンを含む空冷ファンである、投射型表示装置
。
【請求項１６】
請求項２から請求項１１のいずれか１項に記載の投射型表示装置において、
前記冷却手段はペルチェ素子を含む電子式固体冷却素子である、投射型表示装置。
【請求項１７】
請求項４に記載の投射型表示装置において、
外部電力を前記投射型表示装置へ給電する通電スイッチと該投射型表示装置の動作を起
動する起動スイッチとを備え、
前記大気圧検出手段によって大気圧を検出するタイミングは、前記通電スイッチがオン
されてから前記起動スイッチがオンされるまでの間に設定されている、投射型表示装置。
【発明の詳細な説明】
【技術分野】
【０００１】
本発明は投射型表示装置に関し、特に高地でも使用可能でかつ静音化が図られた投射型
表示装置に関する。
【背景技術】
【０００２】
投写画像を明るくするため、投射型表示装置の光源にはメタルハライドランプや超高圧
水銀ランプなど高出力で発熱量の大きい光源が用いられている。発熱量の大きいこれらの
光源は、温度の上昇により周囲の構造部品を熱変形させたり、発光管自身の寿命低下を招
いたりする。特に発光管の寿命と温度との間には強い相関関係があり、最適な温度範囲を
維持するための冷却が要求されている。
【０００３】
光源で発生した光は光学エンジンを介して映像を作成した後、投写レンズで拡大されス
クリーンに投写される。光学エンジンには液晶パネルなどの複数の光学部品が実装されて
いるが、強い光の透過や反射によってこれらの光学部品にも温度上昇が発生する。この温
度上昇は液晶パネルの動作を不安定にしたり、各種の光学部品に特性変化を起こさせて投
写画像を悪化させたり、光学部品の寿命を低下させたりしている。すなわち光学部品の温
度上昇を抑制することが、光学性能を維持し寿命を延命することになるので、光学部品の
冷却が装置の性能や信頼性を高める上で必須となっている。
【０００４】
このような状況の中で、パーソナルコンピュータの普及に伴って投射型表示装置による
プレゼンテーションが広く行われており、投射型表示装置を山間部などの標高の高い場所
で使用する機会が増加している。
【０００５】
しかし、投射型表示装置を標高の高い高地で使用すると、ランプや液晶パネルを初めと
する光学部品の温度上昇は低地に比べて大きくなる。これは、高地では気圧が低いために
空気が薄く、装置で発生した熱の大気への熱移動が抑制されるためである。
【０００６】
この課題を解決する従来技術として、投射型表示装置に圧力センサを設けて大気圧を検
出し、検出した大気圧に応じて空冷ファンの回転数を上昇させる次のような技術が公開さ
れている。
【０００７】
特許文献１には、冷却機構と、使用される場所の高度に応じてこの冷却機構の駆動制御
を選択設定する冷却制御選択手段を備え、高地で使用しても十分な冷却効果を確保するこ
とのできるプロジェクタが開示されている。
【０００８】
特許文献２には、筐体内を冷却するファンを有し、液晶ライトバルブ近傍の温度を検出
する温度検出素子と、温度検出素子で検出した温度を所定の温度補正値により補正し、補
正した温度に基づいてファンの回転数の制御、およびランプの電源のオン／オフを制御す
る制御装置を有し、使用環境の変化によって信頼性が低下しない投射型表示装置が開示さ
れている。
【０００９】
特許文献３には、内部温度を検出するための温度センサ、外気圧を検出するための気圧
センサ、検出された温度と外気圧に基づいて冷却ファンの回転数を制御する制御装置を備
え、使用されている地域の気圧に応じて、適切な冷却ファン制御が自動的に行われる液晶
プロジェクタが開示されている。
【００１０】
特許文献４には、気圧センサが出力する気圧データおよび風量センサが出力する風量デ
ータが入力するシステム制御回路を有し、システム制御回路には気圧値と風量値とによっ
て設定されるファン電源への加算電圧値を規定する制御テーブルが格納されており、フィ
ルタに目詰まりが生じた場合でも、極力最適な冷却制御が行える投写型映像表示装置が開
示されている。
【先行技術文献】
【特許文献】
【００１１】
【特許文献１】特開２００４−１５７３５６号公報
【特許文献２】特開２０００−１９４０７２号公報
【特許文献３】特開２００２−２５８２３７号公報
【特許文献４】特開２００６−９１６１１号公報
【発明の概要】
【発明が解決しようとする課題】
【００１２】
しかし、これらの従来技術は、空冷ファンの回転数を上昇させて冷却能力を高め、ラン
プ部や各種光学部品の温度を維持しようとするものであり、二つの大きな課題があった。
【００１３】
第１の課題は、高地における装置の使用は発熱部の温度上昇が大きく、空冷ファンの回
転数を大きく増加させる必要があり、それによって騒音が増大するという課題である。例
えば、投射型表示装置を標高１５００ｍで使用した場合、光学エンジンの光学部品には５
〜１５℃、ランプの発光管温度は３０℃〜５０℃の温度上昇が発生する。この温度上昇を
ファンの回転数上昇によって対応した場合、ファンの回転数は約１．８倍に上昇させる必
要があるが、このとき騒音は約１０ｄＢ増加する。この値は聴感上２倍の大きさに感じら
れる騒音レベルであり、装置使用上の課題となっていた。
【００１４】
第２の課題は、空冷ファンの回転数には上限があるため、たとえ騒音増加を伴っても部
品の望ましい温度を維持できる標高は２３００ｍ前後が限界になるという課題である。例
えば、従来の一般的な投射型表示装置では１５００ｍ前後が限界であり、ファンの回転数
を上昇させる"高地モード"を備えた装置であっても２３００ｍ前後が限界であった。
【００１５】
本発明の目的は、高地でも騒音の増大がなく、従来対応できなかった２３００ｍ以上の
高地であっても使用可能な投射型表示装置を提供することにある。
【課題を解決するための手段】
【００１６】
本発明の投射型表示装置は、
投射用光源への供給電力値の変更を行う光源電力変更手段と、外部条件とその外部条件
に対応して設定された光源への供給電力値との相関関係を記憶する外部条件／光源供給電
力相関テーブルを記憶する記憶部と、周囲の外部条件を取得する外部条件情報取得手段と
、外部条件／光源供給電力相関テーブルから、外部条件情報取得手段で取得した外部条件
に対応する光源への供給電力値を取得し、取得した供給電力値となるように光源電力変更
手段を制御する光源電力制御手段と、を備えたことを特徴とする。
【００１７】
これによって、装置を設置した周囲の大気圧が低いときには光源への供給電力を低減し
て光源を発光させる。これにより光源の発熱量が低下することから送風機の送風量を増加
させる必要が減少して高地でも騒音の増大がなく、従来対応できなかった極めて高い高地
でも使用が可能となる。
【００１８】
さらに、冷却装置への供給電力値の変更を行う冷却装置電力変更手段と、外部条件とそ
の外部条件に対応して設定された冷却装置への供給電力値との相関関係を記憶する外部条
件／冷却装置供給電力相関テーブルを記憶する記憶部と、外部条件／冷却装置供給電力相
関テーブルから、外部条件情報取得手段で取得した外部条件情報に対応する冷却装置への
供給電力値を取得し、取得した供給電力値となるように冷却装置電力変更手段を制御する
冷却装置電力制御手段と、を備えていてもよい。
【００１９】
これによって、標高に対応してファンの回転数を変更することが可能となるため、ラン
プ出力をあまり低減したくない場合にファンの回転数をやや上昇させ、明るさと騒音の最
適化を行うことができる。
【００２０】
外部条件は、周囲の大気圧であってもよく、外部条件情報取得手段は、投射型表示装置
に設けられて周囲の大気圧を検出する大気圧検出部であってもよく、外部条件情報取得手
段は、使用者により大気圧情報が入力される大気圧情報入力部であってもよい。
【００２１】
また、外部条件情報取得手段は、投射型表示装置の使用場所の地理的条件とその地理的
条件に対応して設定された大気圧との相関関係を記憶する地理的条件／大気圧相関テーブ
ルを記憶する記憶部と、使用者により地理的条件が入力される地理的条件入力部と、地理
的条件／大気圧相関テーブルから、地理的条件入力部に入力された地理的条件に対応する
大気圧情報を読み出す大気圧情報読み出し部とから構成されてもよい。地理的条件は標高
であってもよく、地名、緯度経度などの標高に関係する位置情報であってもよい。
【００２２】
検出された大気圧情報の代わりに、入力した標高情報を使用することで大気圧検出部が
不要となって装置の小型化やコストダウンを図ることができる。
【００２３】
また、外部条件は、周囲の環境温度であってもよく、外部条件情報取得手段は、投射型
表示装置に設けられて周囲の環境温度を検出する環境温度検出部であってもよく、外部条
件情報取得手段は、使用者により周囲の環境温度が入力される環境温度情報入力部であっ
てもよい。
【００２４】
本発明においては、周囲の環境温度に応じてファンの回転数制御を行うことにより、環
境温度の変化に対しても最適な騒音を維持することができる。この効果は、大気圧を検出
する手段を用いている場合だけではなく、標高情報を入力する構成においても同様に得ら
れる。
【００２５】
外部条件／光源供給電力相関テーブルと外部条件／冷却装置供給電力相関テーブルとに
おける外部条件が、周囲の大気圧と周囲の環境温度との組み合わせにより構成されていて
もよい。
【００２６】
外部条件／光源供給電力相関テーブルと外部条件／冷却装置供給電力相関テーブルはそ
れぞれ複数設けられており、使用者により選択された使用モードに対応して選択されても
よく、使用モードは、通常モード、静音高地モード、最適高地モードから構成され、通常
モードでは、投射用光源への供給電力値は一定値であり、冷却装置への供給電力値は周囲
の環境温度のみに対応して第１の比率で変更され、静音高地モードでは、投射用光源への
供給電力値のみが大気圧に対応して第２の比率で変更され、冷却装置への供給電力値は周
囲の環境温度のみに対応して第３の比率で変更され、最適高地モードでは、投射用光源へ
の供給電力値は大気圧に対応して第２の比率よりも低い第４の比率で変更され、冷却装置
への供給電力値は大気圧に対応して第５の比率で変更されるとともに周囲の環境温度に対
応して第３の比率よりも高い第６の比率で変更されてもよい。
【００２７】
複数の使用モードを選択可能としたことにより、想定される使用条件に対応する相関テ
ーブルが自動的に選択される。
【００２８】
冷却手段は軸流ファンやシロッコファンを含む空冷ファンであってもよく、ペルチェ素
子を含む電子式固体冷却素子であってもよい。
【００２９】
これらの冷却手段としては、特に排気用ファンや液晶パネル部の冷却用として軸流ファ
ンやシロッコファンがあり、液晶パネル部の冷却用としてはさらにペルチェ素子に代表さ
れる電子式固体冷却素子がある。ペルチェ素子は熱源に接触させて熱を奪う冷却デバイス
であり、光学部品に直接接触させることで効果的に冷却できる。
【００３０】
外部電力を投射型表示装置へ給電する通電スイッチとその投射型表示装置の動作を起動
する起動スイッチとを備え、大気圧検出手段によって大気圧を検出するタイミングは、通
電スイッチがオンされてから起動スイッチがオンされるまでの間に設定されていてもよい
。
【００３１】
外部電力を装置へ給電する通電スイッチを備えることで、大気圧を検出する手段による
大気圧の検出するタイミングを、通電スイッチがオンされた直後にすることにより、各フ
ァンが回転を始める前に大気圧を検出することが可能となるので、正確な大気圧の検出が
可能となる。
【発明の効果】
【００３２】
従来はファンの回転数を上昇させることで高地使用における光学部品の温度上昇を抑制
していたが、ファン回転数の増加には限界があり、"高地モード"を有する従来の高地対応
型の投射型表示装置は２３００ｍ前後が対応できる標高の限界であった。
【００３３】
一方、本発明の投射型表示装置は、装置を設置した場所の大気圧を検出し、検出した大
気圧が低いときは高地と判断して光源への供給電力を低減するので光源の発熱量が低下し
、ファン回転数の増加を抑制することができ、装置を高地で使用しても騒音の増大なく光
学部品の温度上昇を防止することができ、投写画像の性能を維持し、装置の寿命延命を図
る効果がある。また、これにより従来は対応できなかった２３００ｍ以上の極めて高い標
高（９１００ｍ）であっても対応できるようになった。
【００３４】
すなわち本発明では、標高に関係なくファンの回転数を一定にすることができるので、
その場合装置の騒音は常に一定であり（静音高地モード）、またファン回転数を上昇させ
る技術を併用することにより、騒音増加への影響を最小限に抑えながら光源への電力低減
の影響を最小限に抑えた動作（最適高地モード）が可能となり、装置使用者による本発明
の投射型表示装置の使用目的に合わせ、適切な動作モードを選択して使用できる。これら
の動作モードの詳細と本発明の定量的な効果は実施の形態にて後述する。
【図面の簡単な説明】
【００３５】
【図１】第１の実施の形態における３板式液晶画像表示器を備えた投射型表示装置の構成を示す模式図である。
【図２】図１に示した３板式液晶画像表示器を備えた投射型表示装置の液晶パネル部の拡大図である。
【図３】本装置において動作モードを選択するときにスクリーンに映し出される投写画面のメニュー画面である。
【図４】"通常モード" における、対応可能な標高およびそのランプ出力と、各標高に対する各ファンの回転数と装置騒音を周囲環境温度に対して示した相関テーブルである。
【図５】"静音高地モード" における、対応可能な標高およびそのランプ出力と、各標高に対する各ファンの回転数と装置騒音を周囲環境温度に対して示した相関テーブルである。
【図６】"最適高地モード"における、対応可能な標高およびそのランプ出力と、各標高に対する各ファンの回転数と装置騒音を周囲環境温度に対して示した相関テーブルである。
【図７】標高に対しても常にランプ出力が一定である従来の"高地モード"における各標高に対する各ファンの回転数と装置騒音を環境温度に対して示した相関テーブルである。
【図８】第１の実施の形態の投射型表示装置の起動から停止までの動作を示すフローチャートである。
【図９】第２の実施の形態の投射型表示装置の起動から停止までの動作を示すフローチャートである。
【図１０】第３の実施の形態における３板式液晶画像表示器を備えた投射型表示装置の構成を示す模式図である。
【図１１】本装置において動作モードを選択するときにスクリーンに映し出される投写画面のメニュー画面である。
【図１２】第４の実施の形態における３板式液晶画像表示器を備えた投射型表示装置の構成を示す模式図である。
【図１３】第５の実施の形態における３板式液晶画像表示器を備えた投射型表示装置の構成を示す模式図である。
【発明を実施するための形態】
【００３６】
次に、本発明を実施するための形態について図面を参照して説明する。
＜第１の実施の形態＞
図１は第１の実施の形態における３板式液晶画像表示器を備えた投射型表示装置の構成
を示す模式図であり、図２は図１に示した３板式液晶画像表示器を備えた投射型表示装置
の液晶パネル部の拡大図である。ここでは、３板式液晶画像表示器を備えた投射型表示装
置を例として説明するが、これに限定されるものではなく、直視型カラー画像表示器や単
板式投写型画像表示器にも同様に適応できる。
【００３７】
図１に示すように、第１の実施の形態の投射型表示装置１は、超高圧水銀ランプ２１と
、超高圧水銀ランプ２１の発光をもとにＲＧＢ３枚の液晶パネル２５などで画像を生成す
る光学エンジン２０と、生成した画像を拡大する投写レンズ２８と、映像信号４１からの
信号をもとに液晶パネル２５を駆動する液晶パネル駆動回路４２および主制御回路部５０
を備えた電気回路部４０と、電気回路部４０および超高圧水銀ランプ２１へ電力を供給す
る電源部１０と、光学エンジン２０に実装した液晶パネル２５などの液晶パネル部を冷却
する液晶パネル部冷却用ファン３１と、電源部１０や電気回路部４０や光学エンジン２０
を冷却する排気ファン３２と、超高圧水銀ランプ２１を冷却するランプファン３３と、投
射型表示装置１を設置した場所の大気圧を検出する大気圧センサ６１と、周囲温度を計測
する温度センサ６２と、モード選択スイッチ６３とを備えている。
【００３８】
電源部１０は、超高圧水銀ランプ２１の点灯・消灯や電力を安定して供給するバラスト
１２と、電気回路部４０やバラスト１２へ電力を安定的に供給する電源１１とから構成さ
れている。電源部１０は、通電スイッチ１６を介して外部の交流電力供給源１５と電気的
に接続している。
【００３９】
バラスト１２には、電気回路部４０に設けられた主制御回路部５０の制御信号をもとに
超高圧水銀ランプ２１へ出力する電力を変更するランプ出力制御部１３が設けられている
。
【００４０】
電気回路部４０の主制御回路部５０には、大気圧センサ６１が接続しているランプ出力
判断部５１、温度センサ６２が接続しているファン回転数制御回路５２、相関テーブル格
納部５３、投射型表示装置１を起動・終了するための起動ボタンスイッチ５４、および停
止ボタンスイッチ５５が設けられている。
【００４１】
相関テーブル格納部５３には、予め実験的な評価により求められた大気圧情報および周
囲環境温度とランプへの供給電力値および冷却装置供給電力値との相関テーブルが、モー
ド選択スイッチ６３で選択されるモードに分類されて記憶されている。
【００４２】
また、電気回路部４０には映像信号４１からの信号をもとに液晶パネル２５を駆動する
液晶パネル駆動回路４２が設けられている。
【００４３】
ランプ出力判断部５１は大気圧センサ６１からの大気圧情報をもとに、相関テーブル格
納部５３に予め記憶されている大気圧情報とランプへの供給電力値との相関テーブルを参
照して、ランプ出力判断部５１から電源部１０のランプ出力制御部１３にランプへの供給
電力値を指示する信号を送る。ランプ出力制御部１３はその信号をもとに超高圧水銀ラン
プ２１へ出力する供給電力値を制御する。
【００４４】
液晶パネル２５の冷却は液晶パネル部冷却用ファン３１、電気回路部４０と電源部１０
および光学エンジン２０全体の冷却は排気ファン３２、超高圧水銀ランプ２１の冷却はラ
ンプファン３３がそれぞれ冷却を行っている。
【００４５】
それぞれのファンには電気回路部４０の主制御回路部５０から給電され、ファン回転数
制御回路５２で供給電力が制御されることによりファン回転数が制御されている。ファン
回転数制御回路５２では温度センサ６２からの環境温度情報をもとに、相関テーブル格納
部５３に予め記憶されている環境温度情報と各ファンへの供給電力値との相関テーブルを
参照して、各ファンの回転数を制御する。周囲温度に基づくファン回転数制御を行わない
場合には、温度センサ６２は設けられず、ファン回転数制御回路５２からは各ファンには
所定の電力が供給される。
【００４６】
本実施の形態では、想定される使用条件に対応して予めモード選択スイッチ６３で選択
可能な、通常モード、静音高地モード、最適高地モードが設定されており、相関テーブル
格納部５３にはそれぞれのモードに対応した大気圧／光源供給電力相関テーブルと大気圧
／冷却装置供給電力相関テーブルと環境温度／冷却装置供給電力相関テーブルが設けられ
ている。大気圧／冷却装置供給電力相関テーブルと環境温度／冷却装置供給電力相関テー
ブルとは、大気圧と環境温度との組み合わせ／冷却装置供給電力相関テーブルに一体化さ
れていてもよい。この実施の形態では環境温度による光源電力の制御は行わないことにし
ているので環境温度／光源供給電力相関テーブルは設けられていないが、環境温度による
光源電力の制御を行う場合には環境温度／光源供給電力相関テーブルを設けてもよい。
【００４７】
冷却手段としては、液晶パネル部冷却ファン３１、排気用ファン３２、ランプファン３
３としては通常軸流ファンやシロッコファンを含む空冷ファンが用いられるが、液晶パネ
ル部の冷却用としてはこの他にペルチェ素子に代表される電子式固体冷却素子が用いられ
ることがある。ペルチェ素子は熱源に接触させて熱を奪う冷却デバイスであり、光学部品
に直接接触させることで効果的に冷却することができる。
【００４８】
光学エンジン２０内には、光インテグレータ２２、偏光変換素子２３、ダイクロイック
ミラー２４、液晶パネル２５などが実装されている。
【００４９】
次に、この投射型表示装置１の具体的な動作に関して説明する。
【００５０】
通電スイッチ１６をＯＮにすると電源部１０と外部の交流電力供給源１５とが通電し、
適正な電圧に変換された電力が超高圧水銀ランプ２１を発光させるバラスト１２と電気回
路部４０に供給され、投射型表示装置１はスタンバイ状態に入る。
【００５１】
電気回路部４０に設けられた起動ボタンスイッチ５４が押されると、投射型表示装置１
が起動し、大気圧センサ６１は投射型表示装置１を設置した場所の大気圧情報を検出する
。ファンが始動すると空気流により大気圧センサ６１の計測値に誤差を生ずるおそれがあ
るので、第２の実施の形態では起動ボタンスイッチ５４が押される前に大気圧情報を入手
している。
【００５２】
主制御回路部５０の相関テーブル格納部５３には、開発時における実験的な評価から得
られた大気圧および環境温度とランプへの供給電力値およびファン回転数の適正値との関
係が相関テーブルとして予め記憶されている。
【００５３】
モード選択スイッチ６３でモードが選択されると、そのモードに対応した相関テーブル
が取り出し可能の状態となる。本実施の形態では三つの動作モードが設けられており、予
め予想される使用環境をもとにいずれかが選択される。すなわち低地で使用するときの"
通常モード（低地）"、標高の高さに応じてランプの出力を低減する"静音高地モード"、
標高の高さに応じてランプの出力をやや低減し、かつ、ファンの回転数をやや増加させる
"最適高地モード"の三つである。
【００５４】
ランプ出力判断部５１は、大気圧センサ６１から入手した大気圧情報をもとに、相関テ
ーブル格納部５３に格納された相関テーブルの大気圧とランプへの供給電力値との相関関
係からランプへの供給電力の適正値を読み取り、バラスト１２に設けられているランプ出
力制御部１３にランプへの供給電力値を指示する信号を送り、ランプ出力制御部１３では
指示された電力値で電力を超高圧水銀ランプ２１に供給する。
【００５５】
超高圧水銀ランプ２１から発した光は光学エンジン２０内へ進入し、光インテグレータ
２２で均質化された後、偏光変換素子２３によって光の偏光方向が揃えられる。次に、そ
の光はダイクロイックミラー２４で赤、緑、青、の３原色に分光され、図２に示すように
各色光はそれぞれ赤光路２６Ｒ、緑光路２６Ｇ、青光路２６Ｂに沿って各色に対応した液
晶パネル２５へ送られる。
【００５６】
液晶パネル２５は、映像信号４１を入力とする液晶パネル駆動回路４２によって、各色
に応じた映像を形成し、各映像はクロスダイクロイックプリズム２７で合成されて投写レ
ンズ２８を経由して不図示のスクリーンへと投写される。
【００５７】
これらのプロセスの中で、超高圧水銀ランプ２１や光学エンジン２０内に実装された光
学部品では、光の吸収や自己発熱によって温度上昇が発生する。
【００５８】
超高圧水銀ランプ２１の発光管には、明るくフリッカのない安定した発光を継続するた
めの最適温度範囲があり、回転数制御されたランプファン３３により精度良く冷却されて
いる必要がある。
【００５９】
液晶パネル部では液晶パネル２５の冷却が特に重要であり、液晶パネル２５の上部に設
けた液晶パネル部冷却用ファン３１で強い風速の空気の流れを作り出し、吹き付けにより
液晶パネルを２５を冷却している。
【００６０】
図３は本装置において動作モードを選択するときにスクリーンに映し出される投写画面
のメニュー画面である。
【００６１】
通常モード（低地）、静音高地モード、最適高地モードの三種類のモードのいずれかが
選択されることで、外部条件としての標高に対応した光源の出力が選定される。ここでは
外部条件を標高としているが、大気圧でもよく、大気圧と標高とは相関関係があり相互に
換算できる。
【００６２】
通常モードでは、ランプ出力は一定であり、各ファンの回転数が周囲環境温度に対応し
て制御される。
【００６３】
静音高地モードでは、ランプ出力は標高に対応して制御され、各ファンの回転数は周囲
環境温度に対応して制御される。
【００６４】
最適高地モードでは、ランプ出力は標高に対応して制御され、各ファンの回転数は標高
と周囲環境温度とに対応して制御される。
【００６５】
図３に示したメニュー画面では"静音高地モード"が指定されている。モードの選択は装
置に設けられたモード選択スイッチ６３や、投写画像にメニューを表示して矢印キーやリ
モコンの矢印キーで選択を行うことができるが、選択・決定する技術自体は従来の投射型
表示装置で一般的であるのでここでは説明は省略する。
【００６６】
図４は"通常モード"、図５は"静音高地モード"、図６は"最適高地モード"における、対
応可能な標高およびその標高に対応したランプ出力と、各標高に対する各ファンの回転数
と装置騒音とを周囲環境温度に対して示した相関テーブルである。これらは開発段階の実
験的評価によって得られた情報であり、相関テーブルは電気回路部４０の主制御回路部５
０の相関テーブル格納部５３に記憶されている。
【００６７】
以下に各モードの動作に関して例を挙げて順次具体的に説明する。
【００６８】
図４に示す"通常モード(低地）"は標高（大気圧）とは無関係な動作モードであり、ラ
ンプ出力は通常出力の３００Ｗで一定となっており、ファン回転数は２５℃以上では環境
温度に対応して上昇する。ただし、装置の温度上昇の限度があるため対応可能な標高は９
１４ｍ（３０００ｆｔ）までとなる。例えば、環境温度２５℃以下では回転数は一定で騒
音３５ｄＢ、環境温度の上昇に従ってファン回転数も増加し、環境温度３５℃では騒音４
５ｄＢとなる。
【００６９】
図５に示す"静音高地モード"は標高が高くなるとランプへの供給電力値を低くして超高
圧水銀ランプ２１の発熱を抑える動作モードである。例えば、周囲環境温度２５℃におい
て、標高２７４０ｍ（９０００ｆｔ）ではランプ出力２４０Ｗ（明るさ３２００ｌｍ）、
標高５４９０ｍ（１８０００ｆｔ）ではランプ出力１８０Ｗ（明るさ２４００ｌｍ）とな
る。本モードでは標高の変化に対してファン回転数は一定であり、環境温度が上がるに従
ってファン回転数は上昇する。環境温度２５℃以下では騒音は３５ｄＢ、環境温度３５℃
では騒音は４５ｄＢとなる。
【００７０】
図６に示す"最適高地モード"は標高が高くなるとランプへの供給電力値がやや低くなる
が"静音高地モード"よりも低下の度合いが少なく、その代わりに、ファンの回転数を標高
が高くなるとやや上昇させる動作モードである。静音高地モードでは標高８２３０ｍ−９
１４０ｍ（２７０００−３００００ｆｔ）でランプ出力１２０ｗ、明るさ１６００ｌｍで
あるのに対し、最適高地モードではランプ出力１９２ｗ、明るさ２５８０ｌｍであり、明
るさが増加する。
【００７１】
従来の"高地モード"のように標高に対応して若干ではあるがファンの回転数の上昇が伴
うので、ファンの回転数の上限による制約を受け、各標高において対応可能な環境温度が
ある。例えば、標高２７４０ｍ（９０００ｆｔ）ではランプ出力２６４Ｗ（明るさ３５２
０ｌｍ）、環境温度２５℃で騒音３８ｄＢ、対応可能な環境温度は３２℃までとなる。標
高５４９０ｍ（１８０００ｆｔ）ではランプ出力２２８Ｗ（明るさ３０４０ｌｍ）、環境
温度２５℃で騒音４１ｄＢ、対応可能な環境温度は２９℃までとなる。
【００７２】
本モードは、若干の騒音上昇を許容してランプ出力の低減量を抑制した動作モードであ
り、"静音高地モード"と比較すると騒音は２７４０ｍ（９０００ｆｔ）で３ｄＢ、６４０
０ｍ（２１０００ｆｔ）で６ｄＢ大きくなるが、反対にランプ電力はそれぞれ２４Ｗ（明
るさ３２０ｌｍ）、４８Ｗ（６４０ｌｍ）高くなっている。
【００７３】
図７は標高の変化に対して常にランプ出力が一定である従来の"高地モード"における各
標高に対する各ファンの回転数と装置騒音を環境温度に対して示したものである。
【００７４】
本モードでは高地における装置の温度上昇分だけ冷却性能を高める必要があり、標高が
高くなるにつれて大きな騒音上昇を伴ってしまう。例えば、低地０ｍ−９１０ｍ（０ｆｔ
−３０００ｆｔ）では環境温度２５℃まではファン回転数も騒音も同じであるが、標高９
１０−１８３０ｍ (３０００ｆｔ−６０００ｆｔ)では環境温度２５℃で騒音３９ｄＢ、
対応可能な環境温度は３１℃まで、標高１８３０−２２９０ｍ (６０００ｆｔ−７５００
ｆｔ)では環境温度２５℃で騒音４１ｄＢ、対応可能な環境温度は２９℃までとなってい
る。
【００７５】
最後に、この従来の”高地モード”を基準として、本発明における"静音高地モード"と
"最適高地モード"による効果を定量的に示す。一般的な室温と考えることができる環境温
度２５℃の場合で比較する。
【００７６】
従来の"高地モード"では対応可能な標高は２２９０ｍ（７５００ｆｔ）までであり、こ
のとき騒音は低地に比べて６ｄＢ上昇し４１ｄＢ（明るさ４０００ｌｍ）となる。これに
対して本発明の投射型表示装置では、"静音高地モード"により明るさを１６００ｌｍまで
低減させることで騒音は低地と同じ３５ｄＢ、対応可能な標高は９１４０ｍ（３００００
ｆｔ）までとなる。また"最適高地モード"では、明るさを２５６０ｌｍまでの低減とし、
騒音を４４ｄＢまで許容することにより対応可能な標高は"静音高地モード"と同じ９１４
０ｍ（３００００ｆｔ）を実現している。
【００７７】
次に、本発明の第１の実施の形態の投射型表示装置の起動から停止までの動作を、フロ
ーチャートを参照して説明する。
【００７８】
図８は、第１の実施の形態の投射型表示装置の起動から停止までの動作を示すフローチ
ャートである。ここから大気圧センサが大気圧を検出するタイミングが読み取れる。
【００７９】
装置の使用者は装置へ給電するために通電スイッチ１６をＯＮにする（ステップＳ１１
）。これにより外部の交流電力供給源１５より投射型表示装置１（以下装置１と略称）に
電力が供給される。次に、使用者が装置の起動ボタンスイッチ５４をＯＮにすると装置１
が稼働し（ステップＳ１２）、大気圧センサ６１が装置１を設置した周囲の大気圧を検出
してランプ出力判断部５１に出力する（ステップＳ１３）。
【００８０】
主制御回路部５０内にあるランプ出力判断部５１では、大気圧センサ６１が検出した大
気圧に応じて、相関テーブル格納部５３に格納されていて選択されたモードの大気圧とそ
の大気圧に対応して設定された光源への供給電力値との相関関係のテーブルから、対応す
る光源供給電力値を決定し、バラスト１２内のランプ出力制御部１３に点灯指示信号と電
力値指示信号を送る（ステップＳ１４）。
【００８１】
大気圧を検出した後に主制御回路部５０はファン回転数制御回路５２によりランプファ
ン３３、排気ファン３２、液晶パネル部冷却用ファン３１を始動し、ランプ点灯動作に入
る（ステップＳ１５）。
【００８２】
バラスト１２は点灯指示信号と電力値指示信号にもとづいて超高圧水銀ランプ２１を発
光させる。このときランプの点灯安定性を考慮し、最初は最大出力３００Ｗで発光させて
から指定した電力に変更してもよい(ステップＳ１６)。
【００８３】
一方、映像信号４１が入力する液晶パネル駆動回路４２はランプ点灯時とほぼ同時に動
作を開始し、液晶パネルで作成された映像が投写レンズ２８により不図示のスクリーンへ
画像として投写される。
【００８４】
これら一連の処理が終了し投写が開始された後にファンの回転数制御に入り、主制御回
路部５０は温度センサ６２により環境温度を検出し(ステップＳ１７)、相関テーブル格納
部５３に格納されていて選択されたモードの環境温度とその環境温度に対応して設定され
た冷却ファン３１〜３３への供給電力値との相関関係のテーブルから、環境温度に対する
各ファンの対応する回転数を決定して制御する（ステップＳ１８）。大気圧によってもフ
ァンの回転数を制御するモードでは、大気圧センサ６１の検出した大気圧を参照する。温
度センサによって適正な環境温度が検出できればその値を利用するが、温度センサが装置
内へ設置されていることによって検出した温度と実際の環境温度とに差異が予測されると
きは、予め補正値を記憶させておくことで補正することも容易に可能である。温度センサ
６２による環境温度の検出（ステップＳ１７）は１０秒程度の間隔で適宜行い、空調など
による設置環境の温度変化に追従できるようにファン回転数制御回路５２がファンを回転
制御する（ステップＳ１８）。
【００８５】
装置を停止するとき、使用者は停止ボタンスイッチ５５をＯＮして（ステップＳ１９）
、装置１を終了動作へ移行する。装置１は超高圧水銀ランプ２１を消灯後（ステップＳ２
０）、約３０秒ファンを駆動してから（ステップＳ２１）、ファンを停止させる（ステッ
プＳ２２）。装置の使用者は最後に通電スイッチ１６をＯＦＦにして（ステップＳ２３）
操作を終了する。
【００８６】
なお、本実施の形態では大気圧の検出をランプ点灯前に行っているが、検出のタイミン
グはランプの発光中でもよく、ランプ電力の変更を発光中に行ってもよい。
＜第２の実施の形態＞
次に本発明の第２の実施の形態について説明する。図９は第２の実施の形態の投射型表
示装置の起動から停止までの動作を示すフローチャートである。投射型表示装置の構成は
図１の第１の実施の形態における３板式液晶画像表示器を備えた投射型表示装置の構成と
同じである。
【００８７】
本実施の形態は、第１の実施の形態において装置の電気的機能が豊富なため電源部１０
や電気回路部４０の発熱が大きく、通電状態（通電スイッチ１６がＯＮだけのいわゆる待
機モード）でも排気ファン３２を常時駆動しておかなければならない場合である。
【００８８】
このような場合、流れる冷却風の影響により大気圧センサ６１は正確な大気圧を検出で
きない。
【００８９】
図９は、第２の実施の形態の投射型表示装置の起動から停止までの動作を示すフローチ
ャートである。ここから大気圧センサが大気圧を検出するタイミングが読み取れる。第１
の実施の形態における図８のフローチャートとの差異を中心に説明する。
【００９０】
本実施の形態では、通電スイッチ１６がＯＮとなった(待機モード)直後(ステップＳ３
１)、排気ファンが始動する前に、大気圧センサ６１により大気圧を検出して(ステップＳ
３２)、ランプへの供給電力値を決定する(ステップＳ３３)。この後、排気ファンを始動
して電源部１０や電気回路部４０の冷却を開始する(ステップＳ３４)。
【００９１】
起動ボタンスイッチ５４が押されると(ステップＳ３５)、残りのファンが始動する(ス
テップＳ３６)。その後は、基本的に図８の第１の実施の形態のフローチャートと同様で
ある。
【００９２】
バラスト１２は点灯指示信号と電力値指示信号にもとづいて超高圧水銀ランプ２１を発
光させる (ステップＳ３７)。その後ファンの回転数制御に入り、主制御回路部５０は温
度センサ６２により環境温度を検出し(ステップＳ３８)、環境温度に対する各ファンの対
応する回転数を決定して制御する（ステップＳ３９）。
【００９３】
一方、映像信号４１が入力する液晶パネル駆動回路４２はランプ点灯時(ステップＳ３
７)とほぼ同時に動作を開始し、液晶パネルで作成された映像が投写レンズ２８により不
図示のスクリーンへ画像として投写される。
【００９４】
停止ボタンスイッチ５５がＯＮされると(ステップＳ４０)、超高圧水銀ランプ２１が消
灯し(ステップＳ４１)、主として超高圧水銀ランプ２１を冷却するための３０秒間のファ
ン継続稼動が終了後(ステップＳ４２)、排気ファン３２以外のファンが停止する(ステッ
プＳ４３)。排気ファン３２は継続して稼動を続け、通電スイッチ１６がＯＦＦされると(
ステップＳ４４)、排気ファン３２は停止する(ステップＳ４５)。
＜第３の実施の形態＞
次に本発明の第３の実施の形態について説明する。図１０は第３の実施の形態における
３板式液晶画像表示器を備えた投射型表示装置の構成を示す模式図であり、図１１は本装
置において動作モードを選択するときにスクリーンに映し出される投写画面のメニュー画
面である。
【００９５】
第３の実施の形態では、投射型表示装置２に第１の実施の形態の投射型表示装置１に設
けられていた大気圧センサ６１が設けられておらず、代わりに標高入力部５６が主制御回
路部５０に接続して設けられており、投射型表示装置２の使用者が標高入力部５６から主
制御回路部５０に標高を直接入力するものである。標高入力部５６は、複数の標高の表示
から選択する方式でも、数値を入力する方法でもよい。また、動作モードの選択と同様に
投写画像にメニュー画面を表示して矢印キーやリモコンの矢印キーで選択を行うことがで
きる。これ以外の構成は、第１の実施の形態の投射型表示装置１と同じなので、同一の符
号を付して説明を省略する。
【００９６】
主制御回路部５０の相関テーブル格納部５３には予め実験的な評価により求められた標
高とランプへの供給電力値との相関テーブルが記憶されており、主制御回路部５０は、標
高入力部５６から入力された標高の情報をもとに相関テーブルを参照して、標高に対応す
るランプへの供給電力値を読み出し、ランプ出力判断部５１から電源部１０のランプ出力
制御部１３にランプへの供給電力値を指示する信号を送る。ランプ出力制御部１３はその
信号をもとに超高圧水銀ランプ２１へ出力する供給電力値を制御する。
【００９７】
図１１（第３の実施の形態）における図３（第１の実施の形態）との違いは、投写され
たメニュー画面７２上の上側に設けられた投写されたメニュー画面上の動作モード選択ボ
タン７３に加えて、投写されたメニュー画面７２上の左側に投写されたメニュー画面上の
標高選択ボタン７４が設けられていることである。標高入力部５６から標高が入力される
場合は、ここに入力された標高が表示されるが、投射型表示装置２を光源電力値の設定な
しに起動でき、起動後に光源電力値を設定する方法とすれば、起動後に図１１の投写画面
７１を表示させ、表示された投射されたメニュー画面７２上の標高選択ボタン７４を装置
に設けられた矢印キーやリモコンの矢印キーで指定することでモードの選択を行うことに
より実行できる。
【００９８】
本図の例では標高９００００ｆｔ（２７４０ｍ）-１２０００ｆｔ（３６６０ｍ）が選
択されている。装置の使用者が動作モードの選択と同じように、メニュー画面で標高を直
接入力する方式とすれば、これによって標高入力部５６を省くことができるのでコストダ
ウンとなる。
【００９９】
相関テーブルが大気圧と供給電力値との相関関係で構成されているときには、標高と大
気圧との相関テーブルを用意して標高を大気圧に変化して供給電力値を求める。
【０１００】
本実施の形態では、標高を標高入力部５６から入力したり、メニュー画面に表示された
標高を直接選択したりすることとしているが、地名や緯度・軽度などの位置情報をメニュ
ー画面に表示して選択したり、または入力したりすることにより、装置２の内部に記憶さ
れた位置情報と標高との相関関係を記録する位置情報／標高相関テーブルから位置情報を
標高に変換して対応することも可能である。パーソナルコンピュータのＯＳには使用して
いる場所の地名を入力させるものがあるが、このようなＯＳを流用した場合にはその情報
から標高を推定したり、入力したＯＳへの位置情報から標高などに変換したりして用いる
ことも可能である。
＜第４の実施の形態＞
図１２は第４の実施の形態における３板式液晶投射型表示装置の構成を示す模式図であ
る。第４の実施の形態は、第１の実施の形態において、ファン回転数制御回路５１に対し
温度センサ６２を用いない実施の形態である。第１の実施の形態とは、温度センサ６２が
設けられていない以外の投射型表示装置の構成は同じなので、同じ構成については同じ符
号を付して説明を省略する。
【０１０１】
一般的に投射型表示装置の使用温度範囲は０℃〜４０℃であるが、ファンの回転数制御
は室温近傍の２５℃から３５℃の範囲で行われる。すなわち周囲の環境温度変化幅は１０
℃であり、この１０℃の温度上昇をファンの回転数増加で抑制するのであるが、高地にお
ける投射型表示装置の使用では、図６の最適高地モードにおける、対応可能な標高および
そのランプ出力と、各標高に対する各ファンの回転数と装置騒音を周囲環境温度に対して
示した相関テーブルに見られるように８２３０〜９１４０ｍ（２７０００〜３００００ｆ
ｔ）では周囲環境温度２６℃以上ではファン回転数の最高値で変化せずファン回転数制御
は機能しない。このような条件ではファン回転数は標高により変化させるだけで周囲環境
温度による制御は省いても大きな障害は生じない。
【０１０２】
そこで、本実施の形態は温度センサによるファン制御を省略し、装置の小型化とコスト
ダウンを図ったものである。
＜第５の実施の形態＞
図１３は第５の実施の形態における３板式液晶投射型表示装置の構成を示す模式図であ
る。第５の実施の形態は、第１の実施の形態において、ランプ出力判断部５１に対し大気
圧センサを用いず、ファン回転数制御回路５１に対し温度センサ６２を用いない実施の形
態である。
【０１０３】
第５の実施の形態は、第４の実施の形態（図１２）において、第１の実施の形態（図１
）と第３の実施の形態実施例（図１０）との関係のように大気圧センサ６１を除いて標高
入力部５６のような使用者が直接入力できる外部条件入力部を設けたものである。本実施
の形態では温度センサ６２によるファン制御を省略し、かつ、大気圧センサ６１を削除し
て、装置のさらなる小型化とコストダウンを図ったものであり、その機能の違いについて
は第３と第４の実施の形態で説明しているので、ここでは説明を省略する。
【符号の説明】
【０１０４】
１、２、３    投射型表示装置
１０    電源部
１１    電源
１２    バラスト
１３    ランプ出力制御部
１５    交流電源
１６    通電スイッチ
２０    光学エンジン
２１    超高圧水銀ランプ
２２    光インテグレータ
２３    偏光変換光学系
２４    ダイクロイックミラー
２５    液晶パネル
２６Ｒ    赤光路
２６Ｇ    緑光路
２６Ｂ    青光路
２７    クロスダイクロプリズム
２８    投写レンズ
３１    液晶パネル部冷却用ファン
３２    排気ファン
３３    ランプファン
４０    電気回路部
４１    映像信号
４２    液晶パネルの駆動回路
５０    主制御回路部
５１    ランプ出力判断部
５２    ファン回転数制御回路
５３    相関テーブル格納部
５４    起動ボタンスイッチ
５５    停止ボタンスイッチ
５６    標高入力部
６１    大気圧センサ
６２    温度センサ
６３    モード選択スイッチ
７１    投写画像
７２    投写されたメニュー画面
７３    投写されたメニュー画面上の動作モード選択ボタン
７４    投写されたメニュー画面上の標高選択ボタン
【図１】
2011150364.tif 000003
【図２】
2011150364.tif 000004
【図３】
2011150364.tif 000005
【図４】
2011150364.tif 000006
【図５】
2011150364.tif 000007
【図６】
2011150364.tif 000008
【図７】
2011150364.tif 000009
【図８】
2011150364.tif 000010
【図９】
2011150364.tif 000011
【図１０】
2011150364.tif 000012
【図１１】
2011150364.tif 000013
【図１２】
2011150364.tif 000014
【図１３】
2011150364.tif 000015